【事件の表示】
　特願２０００−　６４０９７「記録音声メッセージの一部のみを選択的に削除ないし保存する方法および装置」拒絶査定不服審判事件〔平成１２年１０月１３日出願公開、特開２０００−２８６９５４〕について、次のとおり審決する。
【結　論】
　本件審判の請求は、成り立たない。
【理　由】
１．手続の経緯と本願発明
　本願は、平成１２年３月８日（優先権主張１９９９年３月８日、アメリカ合衆国）の出願であって、特許請求の範囲の請求項５に係る発明（以下、「本願発明」という。）は、平成１７年７月１２日付け手続補正書により補正された明細書及び図面の記載からみて、その特許請求の範囲の請求項５に記載された以下のとおりのものと認める。
　
　「電話応答装置において、記録された音声メッセージの一部分のみを選択的に削除又は保存できるようにする方法であって、
　記録された音声メッセージを時間が定められた複数の部分に輪郭どりするステップと、
　該記録された音声メッセージの再生長さを短くするように、該記録された音声メッセージの輪郭どりされ時間が定められた部分に対して作用するステップと、
　を有することを特徴とする方法。」
　
２．引用発明
　これに対して、原審の拒絶の理由に引用された特開平４−１１７８５８号公報（以下、「引用例１」という。）には図面とともに以下の事項が記載されている。
　
　イ．「〔概要〕
　音声メッセージ蓄積交換サービスシステムにおける音声メッセージの再生及び録音方式に関し、
　録音済メッセージを再生者によって指定された個所のみ再生、保存でき、一方、メッセージ録音時に録音者によって再生個所を設定できる再生、録音方式を提供することを目的とし、
　音声蓄積交換装置にアドレス管理処理手段を設け、再生者側における操作により、登録済メッセージの再生時、アドレス管理処理手段の制御によって登録済メッセージの再生所望個所の開始点及び終了点に夫々再生マーカを設定し、一方、録音者側における操作により、メッセージの録音時、アドレス管理処理手段の制御によって再生時における再生個所の開始点及び終了点に録音マーカを設定する。」（第２頁左下欄第２〜１７行）、
　
　ロ．「加入者電話機を交換機を介して音声蓄積交換装置に接続し、加入者電話機から音声蓄積交換装置にメッセージを登録（録音）したり、又、この登録されているメッセージを加入者電話機によって再生できるサービスシステムがある。この場合、特に、再生者にとっては、登録済メッセージの内容によってはその全体を再生するよりもその一部分のみを繰返し再生してみたいということもあり、このようなとき、簡単な操作でその一部分のみを再生することができれば便利である。」（第２頁右下欄第５〜１４行）、
　
　ハ．「〔発明が解決しようとする課題〕
　従来、登録されているメッセージＭ１、Ｍ２の夫々一部分を編集保存しようと思っても、第１０図に示すようにメッセージＭ１、Ｍ２の夫々開始から終了まで全て保存されてしまうためにディスク１０に多くの容量を必要とし、無駄が多い問題点があった。又、登録されているメッセージ（例えばＭ１）の一部分のみを繰返し聴きたいと思う場合でも、一つのメッセージＭ１の開始から終了まで全て再生されてしまうため、再生者は一つのメッセージＭ１を開始から終了まで繰返し聴くことになり、再生者にとっては煩わしく、又、時間を無駄に消費してしまう問題点があった。
　本発明は、録音済メッセージを再生者によって指定された個所のみ再生、保存でき、一方、メッセージ録音時に録音者によって再生個所を設定できる音声蓄積交換システムにおける再生、録音方式を提供することを目的とする。」（第３頁右上欄第７行〜左下欄第５行）、
　
　ニ．「〔作用〕
　本発明では、再生者側において、登録済メッセージの再生時、再生所望個所に再生マーカを設定するようにしているため、次にこれを繰返し再生するに際し、又はこの個所を編集保存するに際し、再生所望個所のみを再生又は編集保存でき、従って、メッセージの最初から最後まで全てを（即ち、再生者にとって不必要な個所までも）繰返し再生又はメッセージを全て保存しなければならなかった従来例に比し、再生者にとって簡便であり、時間を有効に使うことができ、又、ディスク容量が少なくて済み、無駄を少なくすることができる。」（第３頁右下欄第１４行〜第４頁左上欄第７行）、
　
　ホ．「〔実施例〕
　第２図は本発明の一実施例の機能ブロック図を示し、同図（Ａ）は再生動作、同図（Ｂ）は録音（登録）動作の場合の図である。同図（Ａ），（Ｂ）中、同一構成部分には同一番号を付す。第２図中、２０はプロセッサで、ＰＢ受信処理部２１，編集アドレス管理処理部２２，メッセージ編集処理部２３，メッセージ再生アドレス管理処理部２４，メッセージ再生処理部２５，録音マーカ設定時アドレス管理処理部２９を設けられている。２６は回線対応部、２７はメモリ、２８はディスクである。
　次に、本発明の動作について第３図、第５図（再生）及び第６図（録音）に示す制御フローチャートと併せて説明する。
　先ず、再生動作について説明する。例えばメモリ２７に既に登録されたメッセージＭ１，Ｍ２の夫々一部分のみを編集保存するに際し、メッセージＭ１，Ｍ２を登録した加入者データを引出してディスク２８を再生動作状態にし、先ずメッセージＭ１，Ｍ２の全体を再生し、編集保存したい個所を予めチェックしておく。このとき、第４図に示す如く、メモリ２７にメッセージ管理データのメッセージデータが設定される。次に、再びディスク２８を再生状態にし（第３図ステップ１００）、編集保存所望個所の開始点が再生された時点で編集釦を操作する。これにより、回線対応部２６からＰＢ信号が出力され、ＰＢ受信処理部２１にてこれが検出されてその内容が解析され（ステップ１０１）、編集アドレス管理処理部２２にて編集アドレス管理が行なわれる。即ち、マーカ設定アドレスポインタが更新され（ステップ　１０２）、再生マーカ種別（この場合は編集保存）が設定され（ステップ１０３）、メッセージアドレス（開始点）Ａ１が設定される（ステップ１０４）。
　引続いてメッセージが再生され（ステップ　１０５）、編集保存所望個所の終了点が再生された時点で再び編集釦を操作する。これにより、先の開始点の場合と同様にメッセージアドレス（終了点）Ａ２が設定される。このようにして登録済メッセージＭ１の編集保存所望個所の開始点及び終了点に再生マーカ（編集保存マーカ）つまりアドレスＡ３，Ａ４を設定すると、同様にして登録済メッセージＭ２に対しても編集保存所望個所の開始点及び終了点にアドレスＡ３，Ａ４を設定する。即ち、ディスク２８に登録されているメッセージのアドレスとメモリ２７に格納されたメッセージ管理データとが対応づけられる。
　次に、再生マーカ（編集保存マーカ）指定済メッセージＭ１，Ｍ２を編集保存するに際し、再生マーカの部分のみを指定する編集保存釦を操作する。これにより、ＰＢ受信処理部２１にてその内容が解析され、編集アドレス管理処理部２２にて対応した値がメモリ２７内のメッセージ管理データより検索され（第５図ステップ１１０）、指定マーカかあることが判断された場合（ステップ１１１、１１２）、メッセージ編集処理部２３においてメッセージ編集が行なわれる。即ち、メッセージＭ１についてはアドレスＡ１，Ａ２のマーカ区間のメッセージ「Ａ」のみ、メッセージＭ２についてはアドレスＡ３，Ａ４のマーカ区間のメッセージ「Ｂ」のみ夫々編集され、第２図（Ａ）に示すようにメッセージ「Ａ」「Ｂ」がリンクされた形状でディスク２８に保存される（第５図ステップ１１３）。なお、第５図ステップ１１１において指定マーカが無いことが判断された場合、全メッセージが保存される（ステップ１１４）。
　このように、本発明では、登録済メッセージの中の一部分に編集保存所望個所がある場合、この所望個所の開始点及び終了点を設定しておけば、この所望個所のみディスク２８に編集保存される。従って、メッセージを全てディスクに保存していた従来例に比してディスク容量か少なくて済み、無駄が少ない。」（第４頁左上欄第１５行〜第５頁左上欄第９行）。
　
　上記摘記事項ホの「本発明では、登録済メッセージの中の一部分に編集保存所望個所がある場合、この所望個所の開始点及び終了点を設定しておけば、この所望個所のみディスク２８に編集保存される。」という記載（第５頁左上欄第３〜６行）と、同じく「このようにして登録済メッセージＭ１の編集保存所望個所の開始点及び終了点に再生マーカ（編集保存マーカ）つまりアドレスＡ１，Ａ２を設定する」という記載（第４頁左下欄第１５〜１８行）とによると、引用例１に記載された「音声蓄積交換装置」は、「録音された登録済メッセージの編集保存マーカで区分された一部分を編集保存できるようにする」機能を有している。
　また、上記機能を実行するにあたって、「音声蓄積交換装置」は、第３図のフローチャートに示される「録音された登録済メッセージを編集保存マーカで仕切られた複数の部分に区分するステップ」を実行し、次に、第５図のフローチャートに示される「該登録済メッセージの編集保存マーカで区分された一部分を編集保存するステップ」を実行しており、上記摘記事項ハの「本発明は、録音済メッセージを再生者によって指定された個所のみ再生、保存でき、・・・設定できる音声蓄積交換システムにおける再生、録音方式を提供することを目的とする。」という記載からして、ここでの「編集保存」は、録音された登録済メッセージの再生所望個所のみを再生できるようにしたものということができる。
　
　したがって、上記引用例１の記載及び図面ならびにこの分野における技術常識を考慮すると、上記引用例１には以下の発明（以下、「引用発明」という。）が記載されている。
　
　「音声蓄積交換装置において、録音された登録済メッセージの編集保存マーカで区分された一部分を編集保存できるようにする方法であって、
　録音された登録済メッセージを編集保存マーカで仕切られた複数の部分に区分するステップと、
　該録音された登録済メッセージの再生所望個所のみを再生できるように、該登録済メッセージの編集保存マーカで区分された一部分を編集保存するステップと、
を有する方法。」
　
３．対比
　本願発明と引用発明とを対比する。
　
　ａ．上記摘記事項ロに記載されているように、引用発明の「音声蓄積交換装置」は加入者電話装置からのメッセージを扱うものであるから、引用発明の「音声蓄積交換装置」と本願発明の「電話応答装置」とは、「電話メッセージ装置」という点で一致する。
　
　ｂ．上記摘記事項ホに記載されているように、引用発明における「登録済メッセージ」は「ディスク２８」に録音されるものであるから、「録音」動作はディスクへの「記録」動作に他ならず、また、「登録済メッセージ」は「音声メッセージ」であるから、引用発明の「録音された登録済メッセージ」は、本願発明の「記録された音声メッセージ」に相当する。
　
　ｃ．引用発明の「編集保存マーカで区分された一部分を編集保存できるようにする」動作は、編集保存マーカで区分された音声メッセージの一部分を保存するとともに、該一部分以外の部分を削除する動作であるから、本願発明の「一部分のみを選択的に削除又は保存できるようにする」動作と実質的に差異はない。
　
　ｄ．引用発明の「編集保存マーカで仕切られた複数の部分に区分する」動作は、ユーザが編集保存マーカを設定することで、ユーザによって時間が定められた複数の部分に区分する動作であって、「区分する」という動作と「輪郭どりする」という動作は表現上の差異でしかないから、引用発明の「編集保存マーカで仕切られた複数の部分に区分する」動作は、本願発明の「時間が定められた複数の部分に輪郭どりする」動作に相当する。
　
　ｅ．引用発明において、録音された登録済メッセージ（記録された音声メッセージ）の再生所望個所のみを再生できるようにするのは、上記摘記事項ハに記載されている「登録されているメッセージ（例えばＭ１）の一部分のみを繰返し聴きたいと思う場合でも、一つのメッセージＭ１の開始から終了まで全て再生されてしまうため、再生者は一つのメッセージＭ１を開始から終了まで繰返し聴くことになり、再生者にとっては煩わしく、又、時間を無駄に消費してしまう問題点」を解決するためであるから、記録された音声メッセージの再生長さを短くするようにすることに他ならない。
　
　ｆ．引用発明の「該登録済メッセージの編集保存マーカで区分された一部分を編集保存する」という動作は、上記ｄの点で検討したように「記録された音声メッセージの輪郭どりされ時間が定められた部分」を編集保存する動作であって、「編集保存する」という動作は、「記録された音声メッセージの輪郭どりされ時間が定められた部分」に対して作用する動作に含まれる。
　
　すると、本願発明と引用発明とは、以下の点で一致し、相違する。
　
（一致点）
「電話メッセージ装置において、記録された音声メッセージの一部分のみを選択的に削除又は保存できるようにする方法であって、
　記録された音声メッセージを時間が定められた複数の部分に輪郭どりするステップと、
　該記録された音声メッセージの再生長さを短くするように、該記録された音声メッセージの輪郭どりされ時間が定められた部分に対して作用するステップと、
　を有する方法。」
　
（相違点）
　電話メッセージ装置が、本願発明では、「電話応答装置」であるのに対し、引用発明では、「音声蓄積交換装置」である点。
　
４．判断
　上記相違点について検討する。
　音声メッセージを記録する電話メッセージ装置として「電話応答装置」は周知のものであり、引用発明の「音声蓄積交換装置」を、周知の「電話応答装置」としてみることは当業者が容易に想到し得ることである。
　そして、本願発明に関する作用効果も、引用発明及び周知技術から当業者が予測できる範囲のものである。
　
５．むすび
　以上のとおり、本願発明は、上記引用例１に記載された発明及び周知技術に基づいて、当業者が容易に発明をすることができたものと認められるから、特許法第２９条第２項の規定により特許を受けることができない。
　
　よって、結論のとおり審決する。